(57)【要約】【課題】本発明は、簡単な構成でトレイへのディスク載置動作を暗闇においても安全に且つ確実に行うことができる小型のディスク装置を提供することを目的とする。【解決手段】本発明のディスク装置は、キャビネットの前面にあるトレイ引出用開口の開閉を行う回転扉やトレイ引出用開口の位置を示す照明窓等を透光材で形成し、発光手段が回転扉若しくは照明窓に対して投光するよう構成し、トレイ引出用開口及びトレイの位置を暗闇においても目視できるよう構成した。【選択図】  図２
2005044486.tif 000002
【特許請求の範囲】
【請求項１】
ディスク状の記録媒体が載置されて、ディスク着脱位置と記録再生位置との間を往復動作するトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う透光材で形成された回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記回転扉に対して投光する発光手段、
を具備するディスク装置。
【請求項２】
ディスク状の記録媒体が載置されて、ディスク着脱位置と記録再生位置との間を往復動作する透光材で形成されたトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記トレイに対して投光する発光手段、
を具備するディスク装置。
【請求項３】
ディスク状の記録媒体が載置されて、ディスク着脱位置と記録再生位置との間を往復動作する透光材で形成されたトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う透光材で形成された回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記トレイと前記回転扉に対して投光する発光手段、
を具備するディスク装置。
【請求項４】
回転扉が蛍光透光材で形成され、発光手段からの光を受けて光るよう構成された請求項１又は３に記載のディスク装置。
【請求項５】
トレイが収納された記録再生位置に配置された状態において、回転扉が発光手段からの光を受けて前記回転扉内に所望の光路を形成する反射面を有するよう構成された請求項１又は３に記載のディスク装置。
【請求項６】
トレイが蛍光透光材で形成されて発光手段からの光を受けて光るよう構成された請求項２又は３に記載のディスク装置。
【請求項７】
トレイにおけるディスクの載置場所が段差を有して凹形状に形成され、前記段差が発光手段からの光を反射するよう構成された請求項２又は３に記載のディスク装置。
【請求項８】
トレイが引き出されたディスク着脱位置に配置された状態において、前記トレイが発光手段からの光を受けて前記トレイ内に所望の光路を形成する反射面を有するよう構成された請求項２又は３に記載のディスク装置。
【請求項９】
トレイが引き出されたディスク着脱位置に配置された状態において、前記トレイの内部に発光手段が収納されるよう構成された請求項２又は３に記載のディスク装置。
【請求項１０】
トレイが引き出されたディスク着脱位置に配置された状態において前記トレイが発光手段からの光を受けるよう構成され、前記トレイが収納された記録再生位置に配置された状態において回転扉が前記発光手段からの光を受けるよう構成された請求項３に記載のディスク装置。
【請求項１１】
発光手段が複数の色の光を発するよう構成されており、当該ディスク装置の動作状況に応じて色を変更するよう構成された請求項１乃至１０のいずれか一項に記載のディスク装置。
【請求項１２】
ディスク状の記録媒体が載置されて、ディスク着脱位置と記録再生位置との間を往復動作するトレイ、
前記トレイが引き出されるトレイ引出用開口を有するキャビネット、
前記トレイに対して記録再生位置とトレイ引出位置との間で往復動作を行うトレイ駆動機構、
前記キャビネットの前記トレイ引出用開口に近接して配設され、透光材で形成された照明窓、及び
前記照明窓に対して投光する発光手段、
を具備するディスク装置。
【請求項１３】
トレイが透光材で形成され、発光手段が照明窓とトレイに対して投光するよう構成された請求項１２に記載のディスク装置。
【請求項１４】
発光手段が照明窓とトレイに対して、トレイの動作に応じて切り換えて投光するよう構成された請求項１３に記載のディスク装置。
【請求項１５】
発光手段が照明窓とトレイに対して、トレイ上のディスクの有無に応じて切り換えて投光するよう構成された請求項１３に記載のディスク装置。
【請求項１６】
照明窓がキャビネットのトレイ引出用開口の周りに配設された請求項１２に記載のディスク装置。
【発明の詳細な説明】
【技術分野】
【０００１】
本発明は、記録媒体であるディスクの記録再生を行うディスク装置に関し、特に、ディスクを載置したトレイの引き出し及び収納動作を行うディスクローディング機構の一部が発光するよう構成されたディスク装置に関するものである。
【背景技術】
【０００２】
記録媒体であるディスクを記録再生するディスク装置においては、ディスクを載置するためのトレイを装置外部へ引き出したり、トレイを装置内部へ収納するためにディスクローディング機構が設けられている。
ディスク装置におけるディスクローディング機構は、ディスク装置の前面に設けたトレイ引出用開口より装置外部へトレイを引き出し、又はそのトレイ引出用開口から装置内部に収納させるものである。このようなディスクローディング機構にディスクを装着する場合、トレイ引出用開口より装置外部へ引き出されたトレイの凹部にディスクを載置して、装置内に収納させることにより行われる。装置内部に収納されたディスクはディスク駆動手段により駆動されて、記録又は再生の動作が行われる。
【０００３】
図１４は、従来のディスク装置（例えば、特許文献１参照）におけるディスクローディング機構１の引き出されたトレイを示す側面断面図である。図１４に示すディスク装置は、フロントローディングタイプであり、ディスク装置内の駆動機構によりトレイ２が装置の前後方向に水平移動するよう構成されている。トレイ２には、ディスク３を載置するためのすり鉢状の凹部４が形成されている。また、トレイ２の内部には、その前面から凹部４の側面に通じる貫通孔５が形成されている。貫通孔５の内部には電球６が配設されており、貫通孔５のトレイ２の前面側と凹部４の側面側の開口には光を透過する材料で形成された光透過板７ａ，７ｂが取り付けられている。
上記のように構成された従来のディスク装置において、電球６からの光は光透過板７ａ，７ｂを通過して、トレイ２の前面側とトレイ２の凹部４の側面側から放射される。したがって、暗い室内において上記構成のディスク装置を操作する場合、装置の前後に移動するトレイ２の前面が発光すると共に、ディスク３を載置すべき凹部４の側面側の位置も目視可能となる。このため、ユーザはこのディスク装置に対してディスク３の載置動作を行うことができる。
【特許文献１】実開昭６０−１９４７９７号公報
【発明の開示】
【発明が解決しようとする課題】
【０００４】
以上のように、従来のディスク装置においては、トレイの前面側とディスクを載置すべき凹部の側面側を発光させるために、トレイ内に発光手段としての電球が設けられている。これにより、従来のディスク装置におけるトレイは厚みが厚く、ある程度重量のある構成であった。したがって、このようなトレイを水平方向に移動するよう駆動するためには、機械的な構造を頑丈なものにしなければならず、また装置の小型化においても問題のある構成であった。
【０００５】
本発明は、上記の従来のディスク装置における問題を解決するためになされたものであり、簡単な構成でトレイのディスク載置動作を暗闇においても安全に且つ確実に行うことができる小型のディスク装置を提供することを目的としてなされたものである。
【課題を解決するための手段】
【０００６】
本発明において、上記目的を達成するために、請求項１のディスク装置は、ディスク状の記録媒体が載置されて、ディスク着脱位置と記録再生位置との間を往復動作するトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う透光材で形成された回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記回転扉に対して投光する発光手段を具備する。このように構成された本発明のディスク装置においては、発光する回転扉により暗闇においても回転扉の位置を確認することができるとともに、引き出されたトレイが照射されてディスク載置動作を暗闇においても安全に且つ確実に行うことができる小型のディスク装置を提供することができる。
【０００７】
本発明の請求項２のディスク装置は、ディスク状の記録媒体が載置されて、ディスク着脱位置と記録再生位置との間を往復動作する透光材で形成されたトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記トレイに対して投光する発光手段を具備する。このように構成された本発明のディスク装置は、簡単な構成でトレイへのディスク載置動作を暗闇においても安全に且つ確実に行うことができる小型のディスク装置を提供することができる。
【０００８】
本発明の請求項３のディスク装置は、ディスク状の記録媒体が載置されて、ディスク着脱位置と記録再生位置との間を往復動作する透光材で形成されたトレイ、
前記トレイが引き出されるトレイ引出用開口を有するキャビネット、
前記トレイを記録再生位置とトレイ引出位置との間で往復動作させるトレイ駆動機構、
前記トレイ引出用開口の開閉を行う透光材で形成された回転扉を有し、前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、及び
前記トレイと前記回転扉に対して投光する発光手段を具備する。このように構成された本発明のディスク装置においては、発光する回転扉により暗闇においても回転扉の位置を確認することができるとともに、引き出されたトレイが発光してディスク載置動作を暗闇においても安全に且つ確実に行うことができる小型のディスク装置を提供することができる。
【０００９】
本発明の請求項４に記載されたディスク装置は、請求項１又は３に記載された構成において、回転扉が蛍光透光材で形成され、発光手段からの光を受けて光るよう構成してもよい。このように構成された本発明のディスク装置は、回転扉が発光手段からの光を受けて確実に発光し、暗闇においても回転扉の位置を確実に確認することができる。
【００１０】
本発明の請求項５に記載されたディスク装置は、請求項１又は３に記載された構成において、トレイが収納された記録再生位置に配置された状態で、回転扉が発光手段からの光を受けて前記回転扉内に所望の光路を形成する反射面を有するよう構成してもよい。このように構成された本発明のディスク装置は、回転扉の前面が確実に発光して回転扉の位置を正確に確認することができる。
【００１１】
本発明の請求項６に記載されたディスク装置は、請求項２又は３に記載された構成において、トレイが蛍光透光材で形成されて発光手段からの光を受けて光るよう構成してもよい。このように構成された本発明のディスク装置は、トレイが発光手段からの光を受けて確実に発光し、暗闇においてもトレイの位置を確実に確認することができる。
【００１２】
本発明の請求項７に記載されたディスク装置は、請求項２又は３に記載された構成において、トレイにおけるディスクの載置場所が段差を有して凹形状に形成され、前記段差を発光手段からの光が反射するよう構成してもよい。このように構成された本発明のディスク装置は、トレイのディスク載置場所が発光手段からの光を受けて確実に反射し、暗闇においてもトレイのディスク載置場所を確実に確認することができる。
【００１３】
本発明の請求項８に記載されたディスク装置は、請求項２又は３に記載された構成において、トレイが引き出されたディスク着脱位置に配置された状態で、前記トレイが発光手段からの光を受けて前記トレイ内に所望の光路を形成する反射面を有するよう構成してもよい。このように構成された本発明のディスク装置は、トレイが発光手段からの光を受けて確実に発光し、暗闇においてもトレイの位置を確実に確認することができる。
【００１４】
本発明の請求項９に記載されたディスク装置は、請求項２又は３に記載された構成において、トレイが引き出されたディスク着脱位置に配置された状態で、前記トレイの内部に発光手段が収納されるよう構成してもよい。このように構成された本発明のディスク装置は、トレイ自身が確実に発光し、暗闇においてもトレイの位置を確実に確認することができる。
【００１５】
本発明の請求項１０に記載されたディスク装置は、請求項３に記載された構成において、トレイが引き出されたディスク着脱位置に配置された状態で前記トレイが発光手段からの光を受けるよう構成され、前記トレイが収納された記録再生位置に配置された状態で回転扉が前記発光手段からの光を受けるよう構成してもよい。このように構成された本発明のディスク装置は、トレイ及び回転扉が発光手段からの光を受けて確実に発光し、暗闇においてもトレイ及び回転扉の位置を確実に確認することができる。
【００１６】
本発明の請求項１１に記載されたディスク装置は、請求項１乃至１０のいずれかに記載された構成において、発光手段が複数の色の光を発するよう構成されており、当該ディスク装置の動作状況に応じて色を変更するよう構成してもよい。このように構成された本発明のディスク装置は、発光するトレイ又は回転扉の色により、暗闇においても当該ディスク装置の動作状況を容易に確認することができる。
【００１７】
本発明の請求項１２に記載されたディスク装置は、ディスク状の記録媒体が載置されて、ディスク着脱位置と記録再生位置との間を往復動作するトレイ、
前記トレイが引き出されるトレイ引出用開口を有するキャビネット、
前記トレイに対して記録再生位置とトレイ引出位置との間で往復動作を行うトレイ駆動機構、
前記キャビネットの前記トレイ引出用開口に近接して配設され、透光材で形成された照明窓、及び
前記照明窓に対して投光する発光手段を具備する。このように構成された本発明のディスク装置においては、発光する照明窓により暗闇においてもトレイ引出用開口の位置を確認することができるとともに、引き出されたトレイが照射されてディスク載置動作を暗闇においても安全に且つ確実に行うことができる小型のディスク装置を提供することができる。
【００１８】
本発明の請求項１３に記載されたディスク装置は、請求項１２に記載された構成において、トレイが透光材で形成され、発光手段が照明窓とトレイに対して投光するよう構成してもよい。このように構成された本発明のディスク装置においては、発光する照明窓とトレイにより暗闇においてもトレイの位置を確実に確認することができる。
【００１９】
本発明の請求項１４に記載されたディスク装置は、請求項１３に記載された構成において、発光手段が照明窓とトレイに対して、トレイの動作に応じて切り換えて投光するよう構成してもよい。このように構成された本発明のディスク装置においては、発光する照明窓とトレイを暗闇においても確実に確認できるよう構成することができる。
【００２０】
本発明の請求項１５に記載されたディスク装置は、請求項１３に記載された構成において、発光手段が照明窓とトレイに対して、トレイ上のディスクの有無に応じて切り換えて投光するよう構成してもよい。このように構成された本発明のディスク装置においては、発光する照明窓とトレイにより暗闇においてもトレイ上のディスクを確実に確認することができる。
【００２１】
本発明の請求項１６に記載されたディスク装置は、請求項１２に記載された構成において、照明窓がキャビネットのトレイ引出用開口の周りに配設してもよい。このように構成された本発明のディスク装置においては、発光する照明窓により暗闇においてもトレイ引出用開口の位置を確実に確認することができる。
【発明の効果】
【００２２】
本発明によれば、簡単な構成でトレイへのディスク載置動作を暗闇においても安全に且つ確実に行うことができる小型のディスク装置を提供することができる。
また、本発明によれば、ディスク装置の取り扱いを容易なものとするとともに外観を美しく構成することが可能となる。
また、本発明によれば、動作状況に応じて発光するトレイ又は回転扉により、暗闇においても動作状況を容易に確認できるディスク装置を得ることができる。
さらに、本発明によれば、照明窓がトレイ引出用開口に近接して設けられているため、暗闇においてもトレイの引出位置を確認できるとともに、トレイへのディスク載置動作を暗闇においても安全に且つ確実に行うことができる小型のディスク装置を提供することができる。
【発明を実施するための最良の形態】
【００２３】
以下、本発明に係るディスク装置の好適な実施の形態を添付の図面を参照して説明する。
【００２４】
《実施の形態１》
図１は本発明に係る実施の形態１のディスク装置の外観を示す斜視図である。
図１に示す実施の形態１のディスク装置は、記録媒体としていわゆるＣＤ又はＤＶＤ等のディスク状の記録媒体（以下、単にディスクと略称する）を使用する装置であり、ディスクの記録再生機能を有している。実施の形態１においては、記録機能及び再生機能を有するディスク装置について説明するが、本発明の構成は記録機能又は再生機能のいずれか一方の機能のみを有するディスク装置にも適用可能である。
【００２５】
図１は実施の形態１のディスク装置において、トレイ１０４が引き出された状態を示している。図１に示すように、キャビネット１０１の前面パネル１０２には、当該ディスク装置を操作する調整部１２５や動作状況を示す表示部１２６とともにトレイ引出用開口１０３が形成されている。トレイ引出用開口１０３は、ディスクが載置可能に構成されたトレイ１０４の幅及び厚みより僅かに大きい形状を有している。また、トレイ１０４には載置されるディスクの形状に合わせて凹部１０４ａが形成されている。
なお、以下の各実施の形態における説明では、トレイ１０４がキャビネット１０１内から引き出される方向をディスク装置の前方と称し、逆にトレイ１０４がキャビネット１０１内に引き込まれる方向をディスク装置の後方と称する。
【００２６】
図２は実施の形態１のディスク装置における主要な内部機構を示す分解斜視図である。図２において、実施の形態１のディスク装置は、その基本的な構成要素として、トレイ１０４、トレイ１０４を駆動するトレイ駆動機構１０５、トレイ駆動機構１０５が設けられたベースフレームユニット１０６、ベースフレームユニット１０６に対して上昇又は下降するトラバースユニット１０７、前面パネル１０２のトレイ引出用開口１０３の開閉を行う扉開閉機構１０８、トレイ１０４に載置されたディスクをトラバースユニット１０７のターンテーブル１１５とともに挟持するクランプユニット（図示省略）等が設けられている。
【００２７】
ベースフレームユニット１０６に設けられたトレイ駆動機構１０５は、駆動源であるモータ１０９、モータ１０９の回転力を伝導機構１１２を介して伝えて直線動作の駆動力に変換する駆動ラック１１３、駆動ラック１１３の直線動作により駆動される駆動アーム１１０とチェンジレバー１１１、及びチェンジレバー１１１の回動動作により移動するスライド板１１４により構成されている。スライド板１１４が移動することにより、トラバースユニット１０７はベースフレームユニット１０６に対して上下方向に所定距離だけ移動するよう構成されている。このトラバースユニット１０７には、ディスクの記録再生時にディスクを載置するターンテーブル１１５とディスクに対する記録再生を行う光ヘッドユニット１１６が設けられている。
上記のように構成された実施の形態１のディスク装置において、ディスクが載置されるトレイ１０４は、トレイ１０４が引き出された位置であるディスク着脱位置と、トレイ１０４がキャビネット内に収納されディスクの記録再生可能な状態となる記録再生位置との間を往復動作する。この往復動作はキャビネット内に設けられたトレイ駆動機構１０５により行われる。
【００２８】
実施の形態１のディスク装置には、トレイ駆動機構１０５のスライド板１１４の移動と連動する扉開閉機構１０８が設けられている。扉開閉機構１０８は、スライド板１１４の前後方向への移動により回動する回動レバー１１７と、回動レバー１１７の押圧動作により回動する回転扉１１８と、回転扉１１８を回転可能に保持する保持フレーム１１９とを有している。回転扉１１８はその回動動作により前面パネル１０２のトレイ引出用開口１０３に対する開閉を行うよう形成されている。回転扉１１８はばねにより閉鎖する方向に常に付勢されている。なお、この保持フレーム１１９は前面パネル１０２と一体的に形成してもよい。
【００２９】
回転扉１１８は、光を透過する透光材、例えば無色や有色の熱可塑性樹脂で形成されている。この回転扉１１８の側面に近接して発光手段、例えば複数の色で発光する発光ダイオード１２０が設けられている。
図３は、実施の形態１のディスク装置において、トレイ引出用開口１０３が閉鎖された状態の回転扉１１８と発光ダイオード１２０を示す平面断面図（ａ）と側面断面図（ｂ）である。図４は、トレイ引出用開口１０３が開放されてトレイ１０４が引き出された状態における、回転扉１１８と発光ダイオード１２０を示す平面断面図（ａ）と側面断面図（ｂ）である。
【００３０】
図３の（ａ）に示すように、発光手段である発光ダイオード１２０からの光は、透光材で形成された回転扉１１８内を屈折して通り、回転扉１１８の前面１１８ａから放射される。したがって、キャビネット１０１の前面パネル１０２に形成されたトレイ引出用開口１０３は、閉鎖された状態において回転扉１１８の前面１１８ａが発光状態となる。
図４に示すように、回転扉１１８が回動してトレイ引出用開口１０３が開放され、トレイ１０４が引き出された状態においては、発光ダイオード１２０からの光が回転扉１１８内を屈折して通って、回転扉１１８が発光することにより、トレイ１０４が照射される。したがって、トレイ１０４は引き出された状態においてトレイ引出用開口近傍が照射された状態となり、暗闇においてもトレイ１０４に対してディスクの載置又は取り出し動作が容易となる。
なお、回転扉１１８の材料として蛍光透光材で形成し、及び／又はトレイ１０４の材料として蛍光材で形成することにより、外観を美しく構成することが可能となると共に、暗闇状態におけるユーザのディスク載置動作又は取り出し動作をさらに容易に、且つ確実に行うことが可能な構成となる。
【００３１】
《実施の形態２》
図５は本発明に係る実施の形態２のディスク装置における扉開閉機構１０８を示す斜視図である。実施の形態２のディスク装置は、前述の実施の形態１のディスク装置と実質的に同じ構成を有しており、扉開閉機構１０８における回転扉１２８の形状が実施の形態１と異なっている。図６は実施の形態２のディスク装置における扉開閉機構１０８の回転扉１２８の動作を示す側面断面図である。図６において、（ａ）はトレイ引出用開口１０３が回転扉１２８により閉鎖された状態を示しており、（ｂ）はトレイ引出用開口１０３が開閉される回転扉１２８の回転動作を示している。
【００３２】
図５に示すように、扉開閉機構１０８の回転扉１２８の側面に近接して発光手段である発光ダイオード１２０が設けられている。回転扉１２８の発光ダイオード１２０に近接した位置（例えば、装置正面から見て右端部）には受光部１２８ｂが形成されている。受光部１２８ｂから入射した光は、回転扉１２８の幅方向に屈折しながら進み回転扉１２８の前面１２８ａから出射するよう形成されている。実施の形態２のディスク装置における回転扉１２８は、受光部１２８ｂと反対側の端部（例えば、装置正面から見て左端部）１２８ｄが受光部１２８ｂの面より狭く形成されており、回転扉１２８の裏面１２８ｃは前面１２８ａに対して斜行するよう形成されている。このように、回転扉１２８の裏面１２８ｃを前面１２８ａに対して斜行して形成することにより、回転扉１２８を幅方向に通る光が裏面１２８ｃに反射して、前面１２８ａが実質的に均一に照射される。このとき、図６に示すように、回転扉１２８においては、光が前面側斜面１２８ｅや底面側斜面１２８ｆに反射して前面１２８ａが確実に照射されるよう構成されている。
【００３３】
《実施の形態３》
図７は本発明に係る実施の形態３のディスク装置におけるトレイと扉開閉機構１０８を示す斜視図である。図８は、実施の形態３のディスク装置において、トレイ引出用開口１０３が開放されてトレイ１２４が引き出された状態における回転扉１１８を示す平面断面図（ａ）と側面断面図（ｂ）である。実施の形態３のディスク装置は、前述の実施の形態１のディスク装置と実質的に同じ構成を有しており、トレイ１２４の形状及び材質が実施の形態１と異なっている。
実施の形態３のトレイ１２４は、光が通る透光材、例えば無色や有色の熱可塑性樹脂で形成されており、ディスクを載置するための凹部１２４ａが形成されている。
【００３４】
実施の形態３のディスク装置においては、発光手段である発光ダイオード１２０からの光をトレイ１２４の側面１２４ｂが直接受けるよう構成されている。トレイ１２４が引き出された状態において、発光ダイオード１２０はトレイ１２４の側面１２４ｂが近接するよう配置されている。したがって、トレイ１２４が引き出された状態において、トレイ１２４の側面１２４ｂが発光ダイオード１２０からの光を受けて、この側面１２４ｂから入射した光がトレイ１２４内を屈折して分散するよう構成されている。したがって、実施の形態３におけるトレイ１２４は引き出された状態においてトレイ全体が確実に発光するとともに、トレイ１２４の凹部１２４ａの段差で乱反射するため凹部１２４ａが容易に目視できるよう構成されている。
なお、トレイ１２４の材料を蛍光透光材で形成することにより、暗闇状態におけるユーザのディスク載置動作をさらに容易に、且つ確実に行うことが可能な構成となる。
【００３５】
上記実施の形態３においては、発光手段である発光ダイオード１２０をトレイ１２４の側面近傍に配設した例で説明したが、発光手段をキャビネット内部のトレイ１２４の下方近傍に複数配置して、トレイ１２４を下方から照射するよう構成してもよい。この場合には、トレイ１２４に反射面を形成して下方から受けた光をトレイ内に分散させて、トレイ全面を発光するよう構成してもよい。図９はトレイ１２４の下方に発光手段である発光ダイオード１２０を設けた状態を示す断面図である。図９に示すように、透光材のトレイ１２４に穴を穿ち斜面１２４ｅを形成して反射面としている。したがって、図９に示したディスク装置においてもトレイ１２４は引き出された状態においてトレイ全体が確実に発光するとともに、トレイ１２４の凹部１２４ａの段差で乱反射するため凹部１２４ａが容易に目視できるよう構成されている。
【００３６】
なお、上記のようにトレイ１２４を下方から直接照射する発光手段を設けたディスク装置において、前述の実施の形態１及び実施の形態２に示したように回転扉１１８，１２８を、光を透過する透光材、例えば無色や有色の熱可塑性樹脂で形成し、この回転扉１１８，１２８の側面に近接して別の投光手段、例えば複数の色で発光する発光ダイオードを設けてもよい。この場合、トレイ１２４が記録再生位置にあるときには回転扉１１８，１２８が発光し、トレイ１２４が引き出されている状態とディスク着脱位置にあるときにはトレイ１２４が発光するようにして、発光手段を切り替えるよう構成してもよい。
【００３７】
また、トレイ１２４を照射する発光手段は、回転扉１１８，１２８と連動するよう構成し、トレイ１２４がディスク着脱位置に配置されたとき、トレイ１２４に形成された穴に収納され、トレイ１２４を直接その内部から照射するよう構成してもよい。この場合においても、トレイ１２４が記録再生位置にあるときには回転扉１１８，１２８が発光し、トレイ１２４がディスク着脱位置にあるときにはトレイ１２４が発光するようにして、発光手段を切り替えるよう構成してもよい。
【００３８】
《実施の形態４》
図１０は本発明に係る実施の形態４のディスク装置の外観を示す斜視図である。図１１は実施の形態４のディスク装置の正面図である。実施の形態４のディスク装置において、前述の実施の形態１〜３のディスク装置と同じ機能、構成を有するものには同じ符号を付してその説明は省略する。図１０はトレイ１２４がトレイ引出用開口１０３から引き出された状態を示している。
【００３９】
図１０及び図１１に示すように、実施の形態４のディスク装置には照明窓２０１がトレイ引出用開口１０３の上部に設けられており、照明窓２０１はトレイ引出用開口１０３に沿った横一の直線上に形成されている。
実施の形態４においては、キャビネット１０１の前面パネル１０２に当該ディスク装置を操作する調整部１２５、動作状況を示す表示部１２６、トレイ引出用開口１０３、及び照明窓２０１が設けられている。照明窓２０１は、トレイ引出用開口１０３の上部に近接してトレイ１２４の幅みより僅かに大きい形状を有して細長形状で形成されている。実施の形態４のディスク装置においては、トレイ引出用開口１０３がトレイ１２４の幅及び厚みより僅かに大きく形成されており、トレイ１２４がキャビネット１０１内に収納されたとき、トレイ引出用開口１０３がトレイ１２４の先端部分により閉じられるよう構成されている。
【００４０】
図１２は実施の形態４のディスク装置におけるキャビネット１０１内に配設された照明機構のみを示す断面図である。図１３は実施の形態４のディスク装置において、トレイ引出状態の主要部の配置を示す平面図である。
図１２及び図１３において、トレイ１２４及び照明窓２０１は、光を透過する透光材、例えば無色や有色の熱可塑性樹脂で形成されている。ただし、トレイ１２４の先端部分である正面部２０３は不透明材で形成されており、飾り板となっている。トレイ１２４と照明窓２０１の側面には、それぞれに近接するよう配置された導光部２０２が設けられている。この導光部２０２には２つの導光口２０２ａ，２０２ｂが形成されており、一方の導光口２０２ａがトレイ１２４の側面１２４ｂに近接して配置され、他方の導光口２０２ｂが照明窓２０１の側面２０１ａに近接して配置されている。したがって、図１２に示すように、導光部２０２は、上下位置に配置された照明窓２０１とトレイ１２４とに近接する２つの導光口２０２ａ，２０２ｂを持つ二股形状を有している。この導光部２０２における導光口２０２ａ，２０２ｂが形成された側面の反対の側面には凹部２０２ｃが形成されている。この凹部２０２ｃの内部には発光手段、例えば複数の色で発光する発光ダイオード１２０が配置されている。
【００４１】
実施の形態４のディスク装置においては、発光手段である発光ダイオード１２０からの光が導光部２０２の凹部２０２ｃから２つの導光口２０２ａ，２０２ｂを通りトレイ１２４の側面１２４ｂ及び照明窓２０１の側面２０１ａに入射されるよう構成されている。
したがって、トレイ１２４が引き出された状態においては、導光部２０２のトレイ用の導光口２０２ａがトレイ１２４の側面１２４ｂに近接するよう配置されている。したがって、トレイ１２４が引き出された状態において、トレイ１２４の側面１２４ｂが発光ダイオード１２０からの光を受けて、この側面１２４ｂから入射した光がトレイ１２４内を屈折して分散するよう構成されている。これにより、実施の形態４におけるトレイ１２４は引き出された状態においてトレイ１２４の全体が確実に発光するとともに、トレイ１２４の凹部１２４ａの段差で乱反射するためトレイ１２４を載置するための凹部１２４ａが容易に目視できるよう構成されている。
【００４２】
トレイ１２４がキャビネット１０１内に収納された状態においては、トレイ１２４の先端部分である前面部２０３が不透明で形成されているため、トレイ引出用開口１０３内のトレイ１２４は発光せず、トレイ引出用開口１０３の上部に形成された照明窓２０１が発光している。
上記実施の形態４のディスク装置において、発光手段である発光ダイオード１２０は装置の電源がオン状態であるときトレイ１２４の側面１２４ｂ及び照明窓２０１の側面２０１ａの両方を常時照射する構成で説明したが、本発明はこのような構成に限定されるものではない。例えば、トレイの動作に連動して発光手段によるトレイ１２４及び照明窓２０１への照射動作を切り換える構成としたり、トレイ１２４上のディスクの有無により上記照明動作を切り換える構成としてもよい。さらに、ディスク装置の動作状況に応じて発光手段からの光の色を変更するよう構成してもよい。
【００４３】
なお、実施の形態４においては、照明窓２０１と導光部２０２を別体で構成した例で説明したが、照明窓２０１と導光部２０２を一体に形成することも可能である。このように構成することにより、部品点数の削減や照明窓の輝度の向上を図ることが可能である。
また、実施の形態４においては、照明窓２０１はトレイ引出用開口１０３の上部に近接して直線状に配置した例で説明したが、照明窓をキャビネット１０１のトレイ引出用開口１０３の周りに配設する構成でもよい。このように構成することにより、暗闇においてトレイ引出用開口１０３の位置を確実に目視することができる。
なお、トレイ１２４及び照明窓２０１の材料を蛍光透光材で形成することにより、暗闇状態におけるユーザのディスク載置動作をさらに容易に、且つ確実に行うことが可能な構成となる。
上記の各実施の形態１〜４においてディスク装置における各種構成を示したが、本発明のディスク装置は各実施の形態の構成を組み合わせて構成し、トレイへのディスク載置動作をさらに安全に且つ確実に行うよう構成することが可能である。
【産業上の利用可能性】
【００４４】
本発明に係るディスク装置は、トレイへのディスク載置動作を暗闇においても安全に且つ確実に行うことができるディスク装置の分野において有用である。
【図面の簡単な説明】
【００４５】
【図１】本発明に係る実施の形態１のディスク装置を示す外観斜視図である。
【図２】実施の形態１のディスク装置の内部機構を示す分解斜視図である。
【図３】実施の形態１のディスク装置における主要な機構のトレイ収納状態を示す配置図であり、（ａ）は平面断面図であり、（ｂ）は側面断面図である。
【図４】実施の形態１のディスク装置における主要な機構のトレイ引出状態を示す配置図であり、（ａ）は平面断面図であり、（ｂ）は側面断面図である。
【図５】本発明に係る実施の形態２のディスク装置における主要な機構を示す斜視図である。
【図６】実施の形態２のディスク装置における扉開閉機構の動作を示す動作図であり、（ａ）は閉鎖状態を示し、（ｂ）は閉鎖状態と開放状態の回転扉１２８の動作を示す。
【図７】本発明に係る実施の形態３のディスク装置における扉開閉機構及びトレイの構成を示す分解斜視図である。
【図８】実施の形態３のディスク装置におけるディスク引出状態を示す図であり、（ａ）は平面断面図であり、（ｂ）は側面断面図である。
【図９】実施の形態３のディスク装置における別の構成例を示す断面図である。
【図１０】本発明に係る実施の形態４のディスク装置を示す外観斜視図である。
【図１１】実施の形態４のディスク装置の正面図である。
【図１２】実施の形態４のディスク装置におけるキャビネット１０１内に配設された照明機構のみを示す断面図である。
【図１３】実施の形態４のディスク装置における主要な機構のトレイ引出状態の配置を示す平面図である。
【図１４】従来のディスクローディング機構を示す側面断面図である。
【符号の説明】
【００４６】
１０１  キャビネット
１０２  前面パネル
１０３  トレイ引出用開口
１０４  トレイ
１０５  トレイ駆動機構
１０６  ベースフレームユニット
１０７  トラバースユニット
１０８  扉開閉機構
１０９  モータ
１１０  駆動アーム
１１１  チェンジレバー
１１２  駆動機構
１１３  駆動ラック
１１４  スライド板
１１５  ターンテーブル
１１６  光ヘッドユニット
１１７  回転レバー
１１８  回転扉
１１９  保持フレーム
１２０  発光ダイオード
１２４  トレイ
２０１  照明窓
２０２  導光部
【図１】
2005044486.tif 000003
【図２】
2005044486.tif 000004
【図３】
2005044486.tif 000005
【図４】
2005044486.tif 000006
【図５】
2005044486.tif 000007
【図６】
2005044486.tif 000008
【図７】
2005044486.tif 000009
【図８】
2005044486.tif 000010
【図９】
2005044486.tif 000011
【図１０】
2005044486.tif 000012
【図１１】
2005044486.tif 000013
【図１２】
2005044486.tif 000014
【図１３】
2005044486.tif 000015
【図１４】
2005044486.tif 000016